(57)【特許請求の範囲】
【請求項１】
太陽電池パネルを建物の屋根に設置する建物屋根の太陽電池パネル取り付け構造であって、軸材を組み合わせた軸組架構体を有し、前記軸材には外装が施されており、前記軸材の少なくとも一部はその形状及び配列が前記太陽電池パネルに対応しており前記太陽電池パネルを支持可能であり、
前記軸組架構体は前記太陽電池パネルを支持する軸材として縦方向に伸びる少なくとも一対の平行な縦軸材を備えており、これらの各縦軸材が前記太陽電池パネルの横方向の両側縁を支持可能であり、
前記縦軸材は、凸部とこの凸部の両側にそれぞれ形成された平面部とを備えた略逆Ｔ字形断面を有することを特徴とする建物屋根の太陽電池パネル取り付け構造。
【請求項２】
請求項１に記載した建物屋根の太陽電池パネル取り付け構造において、前記太陽電池パネルを支持する軸材の太陽電池パネル配列方向の長さは、前記太陽電池パネルの寸法の整数倍であることを特徴とする建物屋根の太陽電池パネル取り付け構造。
【請求項３】
請求項１または請求項２に記載した建物屋根の太陽電池パネル取り付け構造において、前記軸組架構体は、前記軸材に支持された前記太陽電池パネルにより形成される受光面が傾斜するように設けられていることを特徴とする建物屋根の太陽電池パネル取り付け構造。
【請求項４】
請求項３に記載した建物屋根の太陽電池パネル取り付け構造において、前記軸組架構体は対向する二面が傾斜した山型状に組み立てられ、前記二面がそれぞれ前記受光面であることを特徴とする建物屋根の太陽電池パネル取り付け構造。
【請求項５】
請求項１から請求項４までの何れかに記載した建物屋根の太陽電池パネル取り付け構造において、建物の屋根の一部が前記軸組架構体により形成されていることを特徴とする建物屋根の太陽電池パネル取り付け構造。
【発明の詳細な説明】
【０００１】
【発明の属する技術分野】
本発明は建物屋根の太陽電池パネル取り付け構造に関し、住宅や店舗などの屋根に対する太陽電池パネルの設置、増設などに利用できる。
【０００２】
【背景技術】
近年、住宅に対するニーズが多様化し、屋根まわりに関しては屋根勾配や屋根仕上げ等に対する選択の幅が広げられてきている。
屋根形状についても、従来の切妻屋根の他、寄棟屋根や陸屋根などが目立つようになり、入母屋屋根や越屋根などの複雑な形状のものも見られる。
また、屋根裏部屋が多く利用されるようになったため、採光等のためにトップライト等を設けたものや、屋根裏部屋の一部を屋外に開放して屋上バルコニとしたものも見られる。
この屋上バルコニの上部には、外観等を考慮して、屋根面から延長するように組まれた鉄骨材などによるルーバ等が形成されることがあり、開口部を設けつつ屋根輪郭を整えるなどの効果を得ている。
【０００３】
一方、現代の生活においては、照明、加熱、動力、冷暖房などの様々な作業において、電力が使用されている。
通常、電力は公共商用電源により供給されており、希に病院などで非常用の自家発電が併用される程度であった。
近年、太陽電池の発電効率が向上し、その価格に低下に伴って、一般の住宅やオフィスなどの建物にも太陽光による自家発電が採用されるようになっている。
【０００４】
従来より、太陽光自家発電に利用される太陽電池は所定規格寸法のパネルとして提供されており、太陽光を受けるために屋根面に配置する際には所定数のパネルを配列するようになっている。
これらの太陽電池パネルは、屋根面に平行に敷設されたレール状部材等により、両側縁を支持されて配列されている。
【０００５】
【発明が解決しようとする課題】
しかし、太陽電池パネルを屋根面に設置する場合には、屋根面に前述したレール状部材等を敷設する必要が生じる。また、屋上バルコニなどの屋根面を備えていない場所に設置する場合には、例えば、面材などで屋上バルコニを覆うように屋根面を形成して防水加工を施した上でレール状部材を敷設するなどしなければならない。このように、太陽電池パネルの施工作業が煩雑で手間がかかるという問題がある。
【０００６】
そして、改築により屋根に太陽電池を設置する場合、屋根上面にはレール状部材や太陽電池パネルなどが設置されるので、元の屋根の外装が隠れてしまったり、ルーバ等の付属物が取り外されるなど、これらの改築前の外装が太陽電池パネル設置にあたって無駄になるという問題がある。
また、設計変更により屋根部分に太陽電池を設置する場合、これらのような無駄はないが、太陽電池パネル配置用の支持部材などを改めて発注等しなければならず、手間がかかり迅速さに欠けるという問題がある。
【０００７】
本発明の目的は、建物の屋根に迅速かつ容易に太陽電池パネルを設置することができるとともに、太陽電池パネルの有無に拘わらず屋根の外装材を有効に活用できる建物屋根の太陽電池パネル取り付け構造を提供することにある。
【０００８】
【課題を解決するための手段】
本発明は、外装を施した軸組架構体に太陽電池パネルを支持させることで前記目的を達成しようとするものである。
具体的には、図面を参照して説明すると、本発明の建物屋根の太陽電池パネル取り付け構造は、軸材２５を組み合わせた軸組架構体２６、６１、６２を有し、前記軸材２５には外装が施されており、前記軸材２５の少なくとも一部はその形状及び配列が前記太陽電池パネル４１に対応しており前記太陽電池パネル４１を支持可能であり、前記軸組架構体２６、６１、６２は前記太陽電池パネル４１を支持する支持軸材２４として縦方向に伸びる少なくとも一対の平行な縦軸材２４０を備えており、これらの各縦軸材２４０が前記太陽電池パネル４１の横方向の両側縁を支持可能であり、前記縦軸材は、凸部とこの凸部の両側にそれぞれ形成された平面部とを備えた略逆Ｔ字形断面を有することを特徴とする。
【０００９】
ここで、軸材２５としては、鋼材などの長尺材が利用でき、これらの軸材２５を軸組架構体２６、６１、６２に組み合わせるにあたっては、ネジ止めや嵌め合わせ、溶接、接着等によって行うことができる。
軸材２５に施される外装は、軸材２５の外観を整えるとともに軸材２５に防水性を付与するものであり、例えば、表面塗装や表面材の装着などにより行うことができる。
【００１０】
太陽電池パネル４１を支持する支持軸材２４の配列は太陽電池パネル４１の配列ピッチ及び配列方向などにより決定する。
一般に、太陽電池パネル４１は、その配列にあたって、隣り合う太陽電池パネル４１と互いに重ね合わせる、突き合わせるなどの形態が用いられるが、何れの場合も規定のピッチで配列されるように設計されている。このため、支持軸材２４はこの規定のピッチに合わせて配列すればよい。
【００１１】
支持軸材２４の形状は、太陽電池パネル４１の側縁や底面等を支持できるものであればよい。
例えば、断面が略逆Ｔ字形の一対の長尺材を平行に配列し、この逆Ｔ字形の平面部分により太陽電池パネル４１の両側縁を支持することができる。
また、略長方形断面の一対の長尺材を平行に配列し、各々の対向する側面に連続的或いは間欠的に突起を設け、これらの突起により太陽電池パネル４１を支持してもよい。
【００１２】
これらの配列および形状等を適宜設定することにより、太陽電池パネル４１の側縁や底面を支持できればよい。
そして、前述した支持軸材２４により太陽電池パネル４１を支持可能な部分は、軸組架構体２６、６１、６２の一部分のみとしてもよく、軸組架構体２６、６１、６２の外側の全ての面としてもよい。
【００１３】
このような本発明においては、前述した軸組架構体２６、６１、６２を建物１の施工時などに屋根に設置しておけば、軸材２５には外装が施してあるので軸組架構体２６、６１、６２は屋根の外装材として利用でき、軸組架構体２６、６１、６２を設けた部分は他の外装を施さなくとも屋根の美観が維持されるようになる。
【００１４】
太陽電池パネル４１を設置する際には、支持軸材２４が太陽電池パネル４１を支持可能に設けられているため、支持軸材２４に沿って太陽電池パネル４１を配列させれば、迅速かつ容易に太陽電池パネル４１の施工を行うことが可能となり、設置コストの削減も図られる。
また、軸材２５には外装が施されているので、防水処理などを行う必要がなく直ちに太陽電池パネル４１の配列を行うことができ、施工の簡易化が図られる。
【００１５】
改築により太陽電池を設置する場合、屋根の外装材として使用していた軸組架構体２６、６１、６２が太陽電池パネル４１の支持架台としても利用できるので、外装材と支持架台との取り替えが不要となり、屋根の外装材が無駄にならないとともに太陽電池パネル４１の施工が容易になる。
設計変更により太陽電池を設置する場合も、改めて太陽電池パネル４１の支持部材を準備等する必要なくそのまま軸組架構体２６、６１、６２を太陽電池パネル４１の支持に利用できるので、容易かつ迅速に設計変更後の作業を行えるようになり、設計変更の自由度も高められるようになる。
【００１６】
このように、軸組架構体２６、６１、６２は高い自由度で外装材と太陽電池パネル４１の支持架台との二通りに利用できるので、建物の屋根に低コストで容易に太陽電池パネル４１を設置することができるとともに屋根の外装材を有効に活用できるようになる。
【００１７】
さらに、軸組架構体２６、６１、６２は太陽電池パネル４１を支持できるとともに、太陽電池パネル４１が無い状態では外装材の役割を果たすことができるため、太陽電池パネル４１の有無に拘わらず屋根の美観が維持される。すなわち、軸組架構体２６、６１、６２の一部だけ局部的に太陽電池パネル４１を設置した場合でも、軸材２５に外装が施されているので、太陽電池パネル４１を配列しない部分の外観は損なわれることがない。
このため、軸組架構体２６、６１、６２に設置できる太陽電池パネル４１の最大数以下であれば、太陽電池パネル４１の設置数を広範囲に選択できるようになる。
【００１８】
このように、軸組架構体２６、６１、６２は太陽電池パネル４１の数に拘わらず利用できるので、太陽電池パネル４１の取り外しの際にも、取り外した部分に防水、外装加工等を施す必要がなくなる。つまり、太陽電池パネル４１を配列させたり取り外したりするだけで容易に太陽電池パネル４１の設置数を増減できるようになる。
加えて、従来、太陽電池パネル４１の増設及び取り外しは、屋根の外観を維持するためにその都度支持部材の取り付け及び取り外し等の煩雑な作業が必要であったが、前述した軸組架構体２６、６１、６２によれば、太陽電池パネル４１が配列されていなくても良好な外観が維持されるので、より一層煩雑さが解消され、容易に太陽電池パネル４１の設置数を調整できるようになる。
これらにより、前記目的が達成される。
また、前述した軸組架構体２６、６１、６２を屋根に設置すれば、屋根面の縦方向に太陽電池パネル４１が配列される既存のレール状等の支持部材の代替として利用できるので、既存の太陽電池パネル４１をそのまま配列できるようになり、前述した軸組架構体２６、６１、６２を簡単に利用可能となる。
【００２１】
さらに、前記太陽電池パネル４１を支持する支持軸材２４の太陽電池パネル４１配列方向の長さは、前記太陽電池パネル４１の寸法の整数倍であることが望ましい。
太陽電池パネル４１配列方向の長さは、支持軸材２４の太陽電池パネル４１支持部分の長さであり、支持軸材２４の端部などに形成される他の軸材との接続部分など、太陽電池パネル４１を配列しない部分は含まれない。
【００２２】
これによれば、太陽電池パネル４１を支持軸材２４に沿って密集させて配列させた場合、支持軸材２４の端部などにおける太陽電池パネル４１を配列できない余り部分の段差や隙間の発生を回避でき、屋根の美観が確保できるようになるとともに、段差や隙間解消用の調整部材等が不要となり設置コストの削減及び施工作業の簡素化が図られる。
【００２３】
前記軸組架構体２６、６１は、前記支持軸材２４に支持された前記太陽電池パネル４１により形成される受光面４２が傾斜するように設けられていることが望ましい。
このようにすることで、受光面４２を水平に設けるよりも受光面積を広く確保できるとともに、受光面４２の傾斜角度を太陽の日射角度に対応させれば効率よく採光できるようになり、発電効率を向上できるようになる。
【００２４】
このとき、前記軸組架構体２６、６１は対向する二面が傾斜した山型状に組み立てられ、前記二面がそれぞれ前記受光面４２であってもよい。
このようにすれば、いわゆる切妻屋根形状を有する軸組架構体２６、６１が得られ、この軸組架構体２６、６１を陸屋根や屋上バルコニなどの傾斜した屋根面をもたない屋根部分に設置するだけで太陽電池パネル４１を傾斜して配列できるようになり、容易に効率的な位置に太陽電池パネル４１の設置が行えるようになる。
【００２５】
また、建物の屋根の一部が前記軸組架構体２６、６２により形成されていてもよい。
これによれば、軸組架構体２６、６２により形成された部分には、太陽電池パネル４１の取り付け及び取り外しが任意に行えるようになるとともに、太陽電池パネル４１の設置が容易に行えるようになる。
【００２６】
【発明の実施の形態】
以下、本発明の一実施の形態を図面に基づいて説明する。
図１、図２において、建物１は建物躯体３の上に屋根部２を設置した住宅などに用いられる建物である。
建物躯体３は、複数の箱形直方体状の建物ユニット３０を組み合わせて構成されている。
【００２７】
屋根部２は屋根ユニット２０を組み合わせて構成される切妻屋根であり、屋根ユニット２０は、勾配屋根２１０Ａを備える側ユニット２１０および軒側ユニット２１１と、歩行可能な屋上２２０Ａを構成する中ユニット２２０と、ペントハウスユニット２２１とで構成されている。
屋根部２の中央には、ペントハウスユニット２２１が配置されており、ペントハウスユニット２２１の棟方向の両側には中ユニット２２０が設置されている。
ペントハウスユニット２２１の軒方向の両側には軒側ユニット２１１が配置され、中ユニット２２０の軒方向の両側には側ユニット２１０がそれぞれ設置されている。
【００２８】
ペントハウスユニット２２１は、勾配屋根２１０Ａに略連続してガラスサッシにより形成されたガラス屋根部２２２と、屋上２２０Ａに出入りするドア２２４を備える壁部２２３とで構成されている。
側ユニット２１０の床面および中ユニット２２０の屋上２２０Ａで形成される屋上面２２５は、屋根面を備えていないため、防水処理が施されている。
【００２９】
屋上面２２５の上方には、棟軸材２３と複数の縦軸材２４０とによる軸組架構体２６が設けられている。
棟軸材２３および縦軸材２４０は長尺の鋼材であり、表面塗装により外装が施されて防水性および良好な外観が確保されている。
棟軸材２３は、断面が略長方形であり、ペントハウス２２１の棟から水平に延びて設けられている。
図３にも示すように、縦軸材２４０は、凸部２４２と凸部２４２の両側に形成された平面部２４１とを備えた略逆Ｔ字形断面を有し、勾配屋根２１０Ａから略連続するように棟軸材２３に延びて設けられている。
【００３０】
このように複数の縦軸材２４０は平行に配列されるとともに、太陽電池パネル４１の配列ピッチｌに対応した所定の間隔をおいて配列されている。
すなわち、隣り合う縦軸材２４０相互の中心距離ｍが太陽電池パネル４１の配列ピッチｌと等しくなる位置（ｌ＝ｍ）に縦軸材２４０を固定して軸組架構体２６が形成されている。
なお、縦軸材２４０のうち、太陽電池パネル４１を支持可能な位置に配置された平面部２４１の太陽電池パネル配列方向の長さＰは太陽電池パネル４１の縦方向の寸法ｐの整数倍（Ｐ＝ｎ×ｐ，ｎは自然数）とされている。
【００３１】
これら棟軸材２３および縦軸材２４０により、略切妻屋根形状の軸組架構体２６が形成されている。
側ユニット２１０および中ユニット２２０の上方には軸組架構体２６のみが設けられているため、ペントハウス２２１の両側は屋外に開放された状態になっている。このため、屋根部２は切妻屋根の両端が切り欠かれた形状となっているが、軸組架構体２６により、切妻屋根形状の輪郭が整えられている。
【００３２】
このような本実施の形態では、改築などにより太陽光発電装置４０を設置する際には、規格化されたサイズの太陽電池パネル４１を配列する。太陽電池パネル４１は所定数のソーラーセルを平板状の防水ケースの内部に収めたものである。
太陽電池パネル４１を配列するにあたっては、隣り合う一対の縦軸材２４０の対向する一対の平面部２４１に太陽電池パネル４１の横方向の両側縁を支持させる。
【００３３】
太陽電池パネル４１の縦方向の端部を突き合わせて縦軸材２４０に沿って順次配列していくと、縦軸材２４０の長さＰは太陽電池パネル４１の縦方向の寸法ｐの整数倍であるため、縦軸材２４０の端部などに配列不可能な隙間部分などが形成されることなく所定数の太陽電池パネルが収められる。
このように太陽電池パネル４１の配列を行うことにより、傾斜した受光面４２が形成され、受光面４２の背面は棟軸材２３を介して対向して配置されるので受光面は山型状となる。
【００３４】
このような本実施の形態によれば以下のような効果がある。
すなわち、外装が施された軸組架構体２６が屋根部２に設置されているので、軸組架構体２６が設置された部分には他の外装を施さなくとも屋根の美観が維持されるとともに防水性などが確保される。
【００３５】
そして、太陽光発電装置４０を設置する場合、縦軸材２４０は、太陽電池パネル４１の横方向の側縁を支持可能な平面部２４１を有するとともに、太陽電池パネル４１の配列ピッチｌに合わせて配列されているので、一対の縦軸材２４０に沿って太陽電池パネル４１を配列させるだけでよく、迅速かつ容易に太陽電池パネル４１の施工を行うことができる
また、軸材２５には外装が施されており、屋上面２２５には防水処理が施されているので、防水処理などを行うことなく直ちに太陽電池パネル４１の配列を行うことができ、施工の簡易化および設置コストの削減が図られる。
このように、屋根部２の外装材として利用していた軸組架構体２６を無駄にすることなく太陽電池パネル４１の施工を容易に行うことができる。
【００３６】
縦軸材２４０は、勾配屋根２１０Ａの勾配方向に延びて複数配列されているので、既存の支持部材の代替として利用でき、既存の太陽電池パネル４１をそのまま配列できる。
【００３７】
さらに、縦軸材２４０の長さＰは、太陽電池パネル４１の縦方向の寸法ｐの整数倍であるため、縦軸材２４０の端部などにおける太陽電池パネル４１を配列できない余り部分の段差や隙間の発生を回避でき、屋根の美観が確保されるとともに、段差や隙間解消用の調整部材等が不要となり設置コストの削減及び施工作業の簡素化が図られる。
【００３８】
縦軸材２４０は、屋根部２の勾配に沿って傾斜しており、太陽電池パネル４１の配列により傾斜した受光面４２が形成されるので、受光面積が比較的広く確保されて発電効率を向上できる。
軸組架構体２６は、縦軸材２４０が棟軸材２３を介して山型に組まれていわゆる切妻屋根形状となっているので、傾斜した屋根面をもたない屋上面２２５の上方に容易に設置できる。
【００３９】
なお、本発明は前記実施の形態に限定されるものではなく、本発明の目的を達成できる他の構成等を含み、以下に示すような変形なども本発明に含まれる。
すなわち、前記実施の形態では、鋼材による軸材２５が利用されていたが、合成樹脂や他の無機材料などにより形成してもよい。
また、軸材２５に対する外装は、外観を整えて防水性を付与できるものであればよく、表面塗装に限らず表面材の貼り付けや装着などにより行ってもよい。
合成樹脂などにより軸材が形成されて、外観、防水性が元から良好である場合にはあえて塗装などを行わなくてもよい。要するに、軸材に少なくとも良好な外観と防水性が確保されていればよい。
【００４０】
前記実施の形態では、太陽電池パネル４１を支持する支持軸材２４である縦軸材２４０の形状は、逆Ｔ字形断面の長尺材であったが、支持軸材としては略Ｃ字、Ｕ字、Ｈ字、Ｉ字形断面の長尺材などが利用でき、太陽電池パネルの被支持部分である横或いは縦方向の側縁や底面の形状に応じた支持部分を備えていればよい。
【００４１】
前記実施の形態では、縦軸材２４０の長さＰは太陽電池パネル４１の縦方向の寸法ｐの整数倍であったが、太陽電池パネルを横方向に配列させる場合は横方向に延びる支持軸材２４の長さを太陽電池パネルの横方向の寸法の整数倍としてもよい。要するに、太陽電池パネルの配列方向に延びる支持軸材に、太陽電池パネルを配列できない部分が生じない長さとしてあればよい。隙間や段差が生じても調整用部材を設置すれば外観は損なわれないが、手間やコストがかかるので支持軸材の長さＰは太陽電池パネルの寸法ｐに対応させることが好ましい。
【００４２】
前記実施の形態では、縦軸材２４０は勾配屋根２１０Ａの勾配方向に沿って縦方向に配列されていたが、横（棟）方向や斜め方向に配列されていてもよい。要するに、太陽電池パネル支持部分を形成する場合、その配列ピッチに応じた間隔で支持軸材が固定されていれば方向は任意である。
そして、支持軸材に太陽電池パネルを設置して形成される受光面は水平や垂直に設けられていてもよい。しかし、傾斜した受光面が得られれば、発電効率が上昇するので好ましい。
【００４３】
そして、前記実施の形態の軸組架構体２６は棟軸材２３および縦軸材２４０のみで構成されていたが、これら以外に外装用の軸材や、他の形状により太陽電池パネルを支持する支持軸材２４を含んで構成されていてもよい。すなわち、軸組架構体に太陽電池パネルを少なくとも一枚以上支持できる部分が形成されていれば、他の部分の軸材の形状および配置などは任意である。
【００４４】
前記実施の形態では、複数の縦軸材２４０を太陽電池パネル４１の配列ピッチｌに応じた間隔で配列して切妻屋根形状に組み立てることで軸組架構体２６が形成されていたが、軸組架構体の形状は切妻屋根形状や寄棟屋根形状等の屋根の形状に限らず、平板状や角柱状などであってもよく、任意である。要するに、軸組架構体のうち少なくとも一対の軸材が、太陽電池パネルを支持可能な形状を有し、かつ配列ピッチに対応して固定されていれば軸組架構体の形状は任意である。
【００４５】
前記実施の形態では、縦軸材２４０に沿って可能な限りの数の太陽電池パネル４１を設置したが、軸組架構体の一部だけ局部的に数枚の太陽電池パネルを設置してもよく、設置可能な最大枚数以下であれば太陽電池パネルの設置数は任意である。このとき、軸材には外装が施されているので、太陽電池パネルを配列しない部分の外観は損なわれることがない。
【００４６】
太陽電池パネルは平板状のものに限定されず、例えば、太陽電池パネルの配列の際に隣り合う太陽電池パネル接する側面に、嵌め合わせによる固定が可能な係合構造が形成されていてもよく、具体的な太陽電池パネルの大きさ、形状などの種類は実施にあたって適宜選択すればよい。
但し、軸組架構体は選択した太陽電池パネルに応じて形成しなければならない。
【００４７】
前記実施の形態では、山型形状の軸組架構体２６を切妻屋根の切り欠かれた屋上面２２５に適用していたが、このような軸組架構体を陸屋根６０に適用してもよい。
すなわち、図４に示すように、山型の軸組架構体６１を陸屋根６０の屋上面６０１に設置すれば、前記実施の形態と略同様な効果が得られるとともに、水平な屋上６０１面に傾斜した受光面４２を容易に形成でき、併せて三角勾配屋根のような外観が得られる。
【００４８】
また、図５に示すように、陸屋根６０を有する建物６の中央に中庭などを設け、屋上まで吹き抜けになっている場合は、その吹き抜けの屋上部分６０２に屋上６０１と平行な平面状の軸組架構体６２を設置してもよい。
軸組架構体２６の設置場所は最上階の屋根部に限らず、何れの階の屋根部でもよい。要するに建物のうち屋根が形成されている部分であれば設置場所は任意である。
【００４９】
前記実施の形態では、建物１は建物ユニット３０や屋根ユニット２０を組み合わせて形成されていたが、パネル構法などの他のプレハブ構法や在来構法等によるものでもよく、地上何階の建物であってもよい。
【００５０】
【発明の効果】
以上に述べたように、本発明によれば、外装が施され、かつ太陽電池を支持可能な軸組架構体を屋根部に設置すれば、この軸組架構体を自由に外装材と太陽電池パネルの支持架台との二通りに利用できるので、建物の屋根に対して低コストで容易に太陽電池パネルを設置および取り外しを行うことができ、屋根の外装材を有効に活用できる。
【００５１】
すなわち、軸組架構体を屋根部に設置しておけば、軸材には外装が施してあるので外装材として利用でき、屋根の美観が維持される。
太陽電池パネルを設置する際には、軸組架構体は太陽電池パネルを支持可能な部分を有するので、防水処理などを行うことなく太陽電池パネルを配列させるだけで、迅速かつ容易に太陽電池パネルの配置を行うことができ、設置コストの削減も図られる。
【００５２】
さらに、軸組架構体は太陽電池パネルの有無に拘わらず屋根の美観が維持されるので、軸組架構体の一部だけ局部的に太陽電池パネルを設置しても外観が損なわれることはない。このため、軸組架構体に設置できる太陽電池パネルの最大数以下であれば、太陽電池パネルの設置数を広範囲に選択できる。
そして、太陽電池パネルの取り外しも容易に行えるので、自由に太陽電池パネルの設置数を増減できる。
【００５３】
また、軸組架構体に太陽電池パネルの横方向の両側縁を支持する軸材として縦方向に伸びる少なくとも一対の平行な縦軸材を形成することで、既存の支持部材の代替として利用でき、既存の太陽電池パネルをそのまま配列できる。
【００５４】
さらに、太陽電池パネルを支持する軸材の太陽電池パネル配列方向の長さを、太陽電池パネルの寸法の整数倍とすれば、屋根の美観が確保できるようになるとともに、段差や隙間解消用の調整部材等が不要となり設置コストの削減及び施工作業の簡素化が図られる。
【００５５】
そして、前記軸組架構体に太陽電池パネルにより形成される受光面を傾斜させて設けることで、受光面積を広く確保でき、発電効率を向上できる。
このとき、軸組架構体の対向する二面を傾斜した山型状に組み立て、二面の外側をそれぞれ受光面とすることで、いわゆる切妻屋根形状を有する軸組架構体が得られる。これを、屋上バルコニなどの傾斜した屋根面をもたない屋根部分に設置するだけで太陽電池パネルを傾斜して配列できるようになり、容易に効率的な位置に太陽電池パネルの設置を行える。
【図面の簡単な説明】
【図１】本発明の一実施の形態を示す斜視図。
【図２】前記図１の実施の形態で太陽電池パネルを配列した状態を示す斜視図。
【図３】前記実施の形態の要部を示す部分拡大図。
【図４】本発明の変形の形態を示す概略斜視図。
【図５】本発明の他の変形の形態を示す概略斜視図。
【符号の説明】
１，６  建物
２  屋根部
２２５  屋上面
２３  棟軸材
２４  支持軸材
２４０  縦軸材
２４１  平面部
２４２  凸状部
２５  軸材
２６，６１，６２  軸組架構体
２７  建物屋根の太陽電池パネル取り付け構造
４１  太陽電池パネル
４２  受光面
【図１】
0003679158.tif 000002
【図２】
0003679158.tif 000003
【図３】
0003679158.tif 000004
【図４】
0003679158.tif 000005
【図５】
0003679158.tif 000006